(57)【要約】【課題】ボルト長さの点で異なる種々の物品支持脚装置に対応でき、ボルトにレンチ係合部のようなボルト回し用部分が設けられていない場合でも、かかる物品支持脚装置による物品の高さ調節を伴う支持を可能とし、また、これらによりひいては、物品支持脚装置の低廉化にも寄与できる雌ネジ具を提供する。【解決手段】例えばボルト５２とボルト台座５１とを有する物品支持脚装置５の該ボルトを支持対象物品Ｗに螺合取付けするための雌ネジ具１であり、ネジ部材１１、スラストベアリング１２、雌ネジ台座１３、部材１１及び台座１３を連結する連結部材１４とを備え、連結部材１４は、雌ネジ部材１１と雌ネジ台座１３とを、それらの間にスラストベアリング１２が介在する状態で、相対的に回転可能に連結している。【選択図】    図１
2005016601.tif 000002
【特許請求の範囲】
【請求項１】
ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であり、
前記雌ネジ部としての雌ネジ部材と、スラストベアリングと、該支持対象物品に取付け可能の雌ネジ台座と、該雌ネジ部材及び雌ネジ台座を相互に連結する連結手段とを備えており、該雌ネジ部材、スラストベアリング及び雌ネジ台座はこの順序で順次重ねられ、該連結手段は該雌ネジ部材と雌ネジ台座とを、それらの間に該スラストベアリングが介在する状態で、相対的に回転可能に連結していることを特徴とする雌ネジ具。
【請求項２】
前記雌ネジ台座は前記雌ネジ部材に螺合するボルトが貫通可能の孔を有しており、前記連結手段は該雌ネジ部材に連設された連結部材であり、該連結部材は該雌ネジ部材に螺合されるボルトが貫通可能の孔を有し、前記スラストベアリングを貫通して前記雌ネジ台座に回転可能に連結されている請求項１記載の雌ネジ具。
【請求項３】
前記連結部材は前記スラストベアリングを貫通したあと、さらに前記雌ネジ台座も貫通し、該雌ネジ台座を貫通し突出した部分がかしめ処理されて該雌ネジ台座に回転可能に連結されている請求項２記載の雌ネジ具。
【請求項４】
ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であり、
前記雌ネジ部としての雌ネジ部材と、該支持対象物品に取付け可能の雌ネジ台座と、該雌ネジ部材及び雌ネジ台座を相互に連結する連結手段とを備えており、
該雌ネジ台座は凸曲面の外表面を有する雌ネジ受け部分を含んでおり、前記連結手段は、前記雌ネジ部材が該雌ネジ台座に対し回転可能に、且つ、該雌ネジ台座の雌ネジ受け部分の外表面に沿って動き得るように該雌ネジ部材を該雌ネジ台座へ連結していることを特徴とする雌ネジ具。
【請求項５】
前記連結手段は、前記雌ネジ部材に連設され、該雌ネジ部材に螺合されるボルトが貫通可能の孔を有する連結部材を含んでおり、前記雌ネジ台座の前記雌ネジ受け部分は前記凸曲面に対応する凹曲面の内表面を有しているとともに前記連結部材を貫通させ、該連結部材の該雌ネジ受け部分に沿う移動を許す開口を備えており、前記連結部材は、該雌ネジ受け部分の開口を貫通して該雌ネジ受け部分の内側へ突出し、該突出部分に設けられる係合部にて該雌ネジ受け部分内表面に沿って移動可能に該雌ネジ台座に連結されている請求項４記載の雌ネジ具。
【請求項６】
前記連結部材の前記雌ネジ受け部分内側への突出部分に設けられる係合部は、該突出部分に嵌められ、該突出部分のかしめ処理にて抜け止めされたストッパ部材を含んでいる請求項５記載の雌ネジ具。
【請求項７】
前記雌ネジ部材と前記雌ネジ台座との間にスラストベアリングが配置されている請求項４から６のいずれかに記載の雌ネジ具。
【発明の詳細な説明】
【０００１】
【発明の属する技術分野】
本発明は工作機械、コンベヤ等の各種機械、本、書類等を収納するロッカー等の各種家具、各種ディスプレイ装置、テレビ、オーディオ装置等の各種電気電子機器等の物品を支持する物品支持脚装置のための雌ネジ具に関する。
【０００２】
さらに言えば、ボルトと該ボルトを立設したボルト台座とを有し、該ボルトを該物品に設けた雌ネジ部に螺合させて用いる物品支持脚装置の該ボルトを支持対象物品に螺合取付けするための雌ネジ具に関する。
【０００３】
【従来の技術】
従来、物品の支持脚装置としては種々のタイプのものが知られているが、その中に、ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置がある。
【０００４】
例えば、特許第３４０７４０６号公報は、図５に例示するように、台座本体７１１とこれに回転可能に搭載支持されたボルト支持部７１２とからなるボルト台座７１と、ボルト７２とからなる物品支持脚装置７を開示している。ボルト７２はその下端部がボルト支持部７１２の穴に圧入される等してボルト台座７１に立設されている。
【０００５】
この装置７は、そのボルト台座７１が支持対象物品Ｗの設置場所Ｆに配置される一方、ボルト７２が物品Ｗに予め設けた雌ネジ部７３に螺合され、その状態でボルト支持部７１２をレンチ等で回すことで、雌ネジ部７３を設けた物品部分を所望高さに支持することができる。
【０００６】
特許第３１２９９０５号公報は、図６に例示するように、台座本体８１１の頂部凹所にスラストベアリング８１２を嵌め込んだボルト台座８１と、ボルト８２とからなる物品支持脚装置８を開示している。ボルト８２はその下端部がスラストベアリング８１２に貫通せしめられ、ボルトに形成されたレンチ係合部８２１がベアリング８１２に座り、台座本体８１１を貫通したボルト下端にＣ形、Ｅ形等の弾性留め輪８２２等が装着され、抜け止めされている。
【０００７】
この装置８は、そのボルト台座８１が支持対象物品Ｗの設置場所Ｆに配置される一方、ボルト８２が物品Ｗに予め設けた雌ネジ部８３に螺合され、その状態でボルト上のレンチ係合部８２１をレンチで回すことで、雌ネジ部８３を設けた物品部分を所望高さに支持することができる。
【０００８】
また、特開２０００−２７４５９０号公報は、図７に例示するように、台座本体９１１、これに支持された頭截球形状中空部を有する受け座９１２及び該受け座に摺動回転可能に嵌め込まれた球形状部材９１３とからなるボルト台座９１と、ボルト９２とからなる物品支持脚装置９を開示している。ボルト９２はその下端部が球形状部材９１３に設けた穴に圧入される等してボルト台座９１に立設されている。
【０００９】
この装置９も、そのボルト台座９１が支持対象物品Ｗの設置場所Ｆに配置される一方、ボルト９２が物品Ｗに予め設けた雌ネジ部９３に螺合され、その状態でボルト上のレンチ係合部９２１をレンチで回すことで、雌ネジ部９３を設けた物品部分を所望高さに支持することができる。この装置９は、物品設置床面が傾斜しているような場合や、ボルト台座９１の設置場所に制約があってボルト台座９１を物品の雌ネジ部９３の真下に配置できない場合等において、球形状部材９１３が受け座９１２に対して摺動回転することで、ボルト９２とボルト台座９１との相対的傾きを調整して物品Ｗを支持できる。
なお、図５〜図７においてＮはボルトに予め係合されたロック用ナットであり、必要に応じて採用される。
【００１０】
【特許文献１】特許第３４０７４０６号公報
【特許文献２】特許第３１２９９０５号公報
【特許文献３】特開２０００−２７４５９０号公報
【００１１】
【発明が解決しようとする課題】
以上の説明から分かるように、ボルトと該ボルトを立設したボルト台座とを有する従来タイプの物品支持脚装置は、ボルトに設けられたレンチ係合部等を回すことでボルトを回して物品の高さ調節を行うものである。
【００１２】
しかし、物品の種類、物品の設置場所等によって、必要とされるボルト部分の長さが異なってくることが多々あり、従来タイプの物品支持脚装置では、これに備えて、レンチ係合部のようなボルト回し部分を有する特殊なボルトを、採用頻度が低いものまで含めて種々の長さで製作、準備しておかなくてはならず、極めて不経済であり、ひいては、物品支持脚装置のコスト高を招く結果となる。
【００１３】
また、支持対象物品によっては、物品支持脚装置を装着する部分が物品下面の縁部から奥まった位置にあって、ボルト上に形成されたレンチ係合部等を回す作業が困難になることがある。むしろ、もし物品側の雌ネジ部が回し操作可能であるならば、物品側壁の一部に操作窓を形成しておくなどし、そこから物品側の雌ネジ部を回す方が容易なこともあり得る。
【００１４】
そこで本発明は、ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であって、ボルト長さの点で異なる種々の物品支持脚装置に対応でき、しかも、該ボルトにレンチ係合部のようなボルト回し用部分が設けられていない場合でも、かかる物品支持脚装置による物品の高さ調節を伴う支持を可能とし、また、これらによりひいては、物品支持脚装置の低廉化にも寄与できる雌ネジ具を提供することを課題とする。
【００１５】
【課題を解決するための手段】
本発明は前記課題を解決するため次の２タイプの雌ネジ具を提供する。
（１）第１の雌ネジ具
ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であり、
前記雌ネジ部としての雌ネジ部材と、スラストベアリングと、該支持対象物品に取付け可能の雌ネジ台座と、該雌ネジ部材及び雌ネジ台座を相互に連結する連結手段とを備えており、該雌ネジ部材、スラストベアリング及び雌ネジ台座はこの順序で順次重ねられ、該連結手段は該雌ネジ部材と雌ネジ台座とを、それらの間に該スラストベアリングが介在する状態で、相対的に回転可能に連結している雌ネジ具。
【００１６】
この雌ネジ具は、支持対象物品の支持すべき部位に取り付けて用いる。取付けは、雌ネジ具の雌ネジ台座を物品にネジ留め等することで取り付ける。かかる取付けののために雌ネジ台座にネジ通し孔、ボルト通し孔等を予め設けておいてもよい。雌ネジ台座を物品に取り付けた状態では、雌ネジ部材が、それへのボルト螺合を可能にするように露出している。
【００１７】
このように雌ネジ具を物品に取り付け、その雌ネジ部材に物品支持脚装置のボルトを螺合させる一方、ボルト台座を物品設置場所に配置する。このとき、物品重量の少なくとも一部が雌ネジ具の雌ネジ台座及びスラストベアリングを介して、ボルトに支持された状態の雌ネジ部材に加わるように、該物品支持脚装置を物品と設置場所との間にある程度しっかりと支えるように設置する。
【００１８】
このように物品支持脚装置を設置し、次いで、必要に応じ、雌ネジ具の雌ネジ部材をレンチ等適当な回し手段で回し、定位置のボルトに対し相対的に上下位置調整することで、該雌ネジ具を取り付けた物品部分を所望高さに調節し、物品支持脚装置に支持させることができる。なお、雌ネジ具の雌ネジ部材を回し操作するとき、ボルトが共回りするようなときは、適当な手段でボルトを回り止めしつつ雌ネジ部材を回し操作すればよい。
【００１９】
雌ネジ具及び物品支持脚装置を必要に応じ物品の他の部分にも装着することで、物品を所望の高さに、所望の姿勢（例えば全体として水平な姿勢）に設置できる。
【００２０】
雌ネジ具における雌ネジ部材の雌ネジ孔の長さが物品の高さ調節を行うに十分なものであるときは、物品支持脚装置のボルトは必ずしもスラストベアリング、或いはスラストベアリング及び雌ネジ台座を貫通できる必要はないが、各種物品に対応できるように、また、高さ調節の自由度を高めるために、前記スラストベアリング、或いは該スラストベアリング及び前記雌ネジ台座は前記雌ネジ部材に螺合するボルトが貫通可能なものとしてもよい。
【００２１】
また、前記連結手段は、雌ネジ部材と雌ネジ台座とをそれらの間に該スラストベアリングが介在する状態で相対的に回転可能に連結するものであれば、そして当然のことながら該雌ネジ部材を外部から回す操作を妨げないものであればよいが、コンパクトにコスト安に提供できるものとして、例えば、雌ネジ部材に連設された連結部材であって、該雌ネジ部材に螺合されるボルトが貫通可能の孔を有し、スラストベアリングを貫通して前記雌ネジ台座に回転可能に連結されるものを挙げることができる。
【００２２】
該連結部材の雌ネジ台座への連結は種々の手法で行えるが、簡単安価な連結として、該連結部材をスラストベアリングに貫通させ、さらに前記雌ネジ台座も貫通させ、該雌ネジ台座を貫通し突出した部分をかしめ処理して該雌ネジ台座に回転可能に連結する場合を挙げることができる。
【００２３】
以上のことを纏めると、代表例として、前記雌ネジ台座は前記雌ネジ部材に螺合するボルトが貫通可能の孔を有しており、前記連結手段は該雌ネジ部材に連設された連結部材であり、該連結部材は該雌ネジ部材に螺合されるボルトが貫通可能の孔を有し、前記スラストベアリングを貫通して前記ボルト台座に回転可能に連結されている雌ネジ具を挙げることができ、さらに、該連結部材が前記スラストベアリングを貫通したあと、さらに前記雌ネジ台座も貫通し、該雌ネジ台座を貫通し突出した部分がかしめ処理されて該雌ネジ台座に回転可能に連結されている雌ネジ具を挙げることができる。
【００２４】
（２）第２の雌ネジ具
ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であり、
前記雌ネジ部としての雌ネジ部材と、該支持対象物品に取付け可能の雌ネジ台座と、該雌ネジ部材及び雌ネジ台座を相互に連結する連結手段とを備えており、
該雌ネジ台座は凸曲面の外表面を有する雌ネジ受け部分を含んでおり、前記連結手段は、前記雌ネジ部材が該雌ネジ台座に対し回転可能に、且つ、該雌ネジ台座の雌ネジ受け部分の外表面に沿って動き得るように該雌ネジ部材を該雌ネジ台座へ連結している雌ネジ具。
【００２５】
この雌ネジ具も、支持対象物品の支持すべき部位に取り付けて用いる。取付けは、雌ネジ具の雌ネジ台座を物品にネジ留め等することで取り付ける。かかる取付けののために雌ネジ台座にネジ通し孔、ボルト通し孔等を予め設けておいてもよい。雌ネジ台座を物品に取り付けた状態では、雌ネジ部材が、それへのボルト螺合を可能にするように露出している。
【００２６】
このように雌ネジ具を物品に取り付け、その雌ネジ部材に物品支持脚装置のボルトを螺合させる一方、ボルト台座を物品設置場所に配置する。このとき、物品支持脚装置のボルト台座を設置する場所の床面が若干傾斜しているとか、ボルト台座の設置場所に制約があって物品に取り付けた雌ネジ具の真下にボルト台座を設置し難い等のために物品支持脚装置のボルト回転中心軸線が傾くような場合には、雌ネジ具において雌ネジ部材を雌ネジ台座の雌ネジ受け部分の凸曲面の外表面に沿って動かし、位置及び角度調節することでボルト回転中心軸線と雌ネジ部材の回転中心軸線とを一致させてボルトを該雌ネジ部材に螺合させることができる。そして、物品重量の少なくとも一部が雌ネジ具の雌ネジ台座を介して、ボルトに支持された状態の雌ネジ部材に加わるように、該物品支持脚装置を物品と設置場所との間にある程度しっかりと支えるように設置する。
【００２７】
このように物品支持脚装置を設置し、次いで、必要に応じ、雌ネジ具の雌ネジ部材をレンチ等適当な回し手段で回し、定位置のボルトに対し相対的に上下位置調整することで、該雌ネジ具を取り付けた物品部分を所望高さに調節し、物品支持脚装置に支持させることができる。なお、雌ネジ具の雌ネジ部材を回し操作するとき、ボルトが共回りするようなときは、適当な手段でボルトを回り止めしつつ雌ネジ部材を回し操作すればよい。
【００２８】
雌ネジ具及び物品支持脚装置を必要に応じ物品の他の部分にも装着することで、物品を所望の高さに、所望の姿勢（例えば全体として水平な姿勢）に設定できる。
【００２９】
雌ネジ具における雌ネジ部材の雌ネジ孔の長さが物品の高さ調節を行うに十分なものであるときは、物品支持脚装置のボルトは必ずしも雌ネジ台座を貫通できる必要はないが、各種物品に対応できるように、また、高さ調節の自由度を高めるために、雌ネジ台座は雌ネジ部材に螺合するボルトが貫通可能なものとしてもよい。
【００３０】
前記連結手段は、雌ネジ部材が雌ネジ台座に対し回転可能に、且つ、雌ネジ台座の雌ネジ受け部分の外表面に沿って動き得るように該雌ネジ部材を該雌ネジ台座へ連結するものであれば、そして当然のことながら該雌ネジ部材を外部から回す操作を妨げないものであればよい。しかし、コンパクトにコスト安に提供できるものとして、例えば、前記該雌ネジ部材に連設され、該雌ネジ部材に螺合されるボルトが貫通可能の孔を有する連結部材を含んでいるものを挙げることができる。
【００３１】
そして、このような連結部材を採用するとき、前記雌ネジ台座の前記雌ネジ受け部分は、前記凸曲面に対応する凹曲面の内表面を有しているとともに該連結部材を貫通させ、該連結部材の該雌ネジ受け部分に沿う移動を許す開口を備えているものとしてもよい。この場合、前記連結部材は、例えば、該雌ネジ受け部分の開口を貫通して該部分の内側へ突出し、該突出部分に設けられる係合部にて該雌ネジ受け部分内面に沿って移動可能に該雌ネジ台座に連結されているものとしてもよい。この場合、該連結部材の前記雌ネジ受け部分内側への突出部分に設けられる係合部として、例えば、該突出部分に嵌められ、該突出部分のかしめ処理にて抜け止めされたストッパ部材を含んでいるものを挙げることができる。
【００３２】
いずれにしても、前記雌ネジ部材と雌ネジ台座との間にスラストベアリングを介装してもよい。
本発明に係る雌ネジ具は、ボルトにレンチ係合部のようなボルト回し用部分が設けられていない物品支持脚装置に対し用いることができるが、ボルトにボルト回し用部分が形成されているボルトを有する物品支持脚装置に対しても用いることができる。
【００３３】
以上説明した第１、第２のいずれのタイプの雌ネジ具も、物品の種類、物品の設置場所等によって物品支持脚装置における必要とされるボルト部分の長さが異なってくることがあっても、ボルト径が同じであれば、対応でき、しかも、該ボルトにレンチ係合部のようなボルト回し用部分が設けられていない場合でも、かかる物品支持脚装置による物品の高さ調節を伴う支持を可能とし、また、これらによりひいては、物品支持脚装置の低廉化にも寄与できる。
【００３４】
また、本発明に係る雌ネジ具によると、該雌ネジ具の雌ネジ部材を回し操作することで物品支持脚装置による物品の高さ調節が可能であるから、たとえボルト上にボルト回し用部分が形成されているような場合でも、該部分の回し操作が困難であるようなときには、該雌ネジ具の雌ネジ部材を回し操作して物品支持脚装置による物品の高さ調節を行える。
【００３５】
【発明の実施の形態】
以下図面を参照して本発明の幾つかの実施形態について説明する。
（１）第１実施形態
図１に１実施形態の雌ネジ具及び物品支持脚装置の１例を採用した物品Ｗの支持状態を示す。
図１に示す雌ネジ具１は、雌ネジ部材１１と、スラストベアリング１２と、雌ネジ台座１３と、部材１１及び台座１３を連結する連結部材１４とを含んでいる。
【００３６】
雌ネジ部材１１、スラストベアリング１２及び雌ネジ台座１３はこの順序で順次重ねられている。連結部材１４は雌ネジ部材１１の頂部に部材１１と一体的に形成されており、後述するボルト５２が遊嵌、貫通できる孔１４１を有している。雌ネジ台座１３は本例では平板状の部材で、周辺領域の複数箇所にボルト孔１３１を有しているとともに中央部に前記連結部材１３を貫通させる孔１３２（従ってボルト５２も貫通できる孔）を有している。
【００３７】
連結部材１４は、雌ネジ部材１１、スラストベアリング１２及び雌ネジ台座１３が図示のとおり重ねられた状態で、スラストベアリング１２及び雌ネジ台座１３を貫通して上方へ突出し、該突出部分１４２がかめし処理にて雌ネジ台座１３に連結されている。かくして、雌ネジ部材１１はスラストベアリング１２が介在する状態で雌ネジ台座１３に、外れないように、且つ、回転可能に連結されている。
【００３８】
この雌ネジ具１は、支持対象物品Ｗの支持すべき部位に取り付けて用いる。すなわち、雌ネジ台座１３のボルト孔１３１を利用して該雌ネジ台座１３を物品Ｗの所定部位にボルトＢ１で固定することで全体を物品に取り付ける。
このように雌ネジ具１を物品に取り付け、その雌ネジ部材１１に次に説明する物品支持脚装置５のボルト５２を螺合させる一方、ボルト台座５１を物品設置場所Ｆに設置する。
【００３９】
本例での物品支持脚装置５は、図５に示すものと同タイプのもので、ボルト台座５１と、これに立設されたボルト５２とを有している。ボルト台座５１は物品設置場所Ｆに配置される台座本体５１１と、その頂部に回転可能に搭載支持されたボルト支持部５１２とを備えている。ボルト支持部５１２は、その一部が台座本体５１１を貫通して台座５１１内側へ突出し、該突出部分５１２１がかしめ処理されることで台座５１１に対して回転可能に連結されている。
【００４０】
また、ボルト支持部５１２にはボルト５２の雄ネジの有効径に略等しい内径の穴５１２２が形成されており、この穴に、ボルト５２の下端部５２１がその雄ネジを圧潰しつつ圧入され、かくしてボルト５２はボルト台座５１に立設される。
【００４１】
なお、ボルト支持部の穴５１２２を雌ネジ穴とし、ボルト下端部５２１を該雌ネジの有効径に略等しい外径のネジ無し円柱部に形成し、該円柱部を雌ネジを圧潰しつつ雌ネジ穴に圧入するようにしてもよいし、ボルト支持部の穴５１２２を雌ネジ穴とし、これにボルト下端部の雄ネジを強固に螺着させてもよい。
【００４２】
さて、前記のように雌ネジ具１の雌ネジ部材１１に物品支持脚装置５のボルト５２を螺合させる一方、ボルト台座５１を物品設置場所Ｆに設置するとき、物品重量の少なくとも一部が雌ネジ具１の雌ネジ台座１３及びスラストベアリング１２を介して、ボルト５２に支持された状態の雌ネジ部材１１に加わるように、該物品支持脚装置５を物品Ｗと設置場所Ｆとの間にある程度しっかりと支えるように設置する。
【００４３】
このように物品支持脚装置５を設置し、次いで、必要に応じ、雌ネジ具１の雌ネジ部材１１をレンチ等適当な回し手段で回し、定位置のボルト５２に対し相対的に上下位置調整することで、雌ネジ具１を取り付けた物品Ｗの部分を所望高さに調節し、物品支持脚装置５に支持させることができる。
【００４４】
なお、雌ネジ具１の雌ネジ部材１１を回し操作するとき、ボルト５２が共回りするようなときは、適当な手段でボルト５２を回り止めしつつ雌ネジ部材１１を回し操作すればよい。また、雌ネジ部材１１はこれを回し易いように断面輪郭形状を多角形（例えば断面６角形）等に形成しておくことが望ましい。必要に応じ、図５〜図７に示すようなロックナットＮを採用してもよい。
【００４５】
（第２実施形態）
図２に第２実施形態に係る雌ネジ具１’示す。雌ネジ具１’において雌ネジ具１と同じ部分については雌ネジ具１と同じ参照符号を付してある。雌ネジ具１’は、雌ネジ部材１１と雌ネジ台座１３との連結構造の点で雌ネジ具１と異なっている。すなわち、雌ネジ具１’では、雌ネジ部材１１の上端部にスラストベアリング１２を囲む短筒状部材１５が溶接等により取り付けられており、該部材１５の上端のフランジ部１５１が雌ネジ台座１３の下面に固設されたリング状受け座１６に回転可能に嵌められている。かくして、雌ネジ部材１１はスラストベアリング１２を介在させた状態で雌ネジ台座１３に回転可能に連結されている。雌ネジ部材１１に螺合されるボルト５２はスラストベアリング１２及び雌ネジ台座１３を貫通できる。この雌ネジ具１’は雌ネジ具１と同様に物品Ｗに取り付けて、物品支持脚装置と共に用いることができる。
【００４６】
（第３実施形態）
図３にさらに他の実施形態の雌ネジ具及び物品支持脚装置の他の例を採用した物品Ｗの支持状態を示す。
図３に示す雌ネジ具２は、雌ネジ部材２１と、雌ネジ台座２２と、部材２１及び台座２２を連結する連結部材２３とを含んでいる。
【００４７】
雌ネジ台座２２は本例では平坦な周辺領域２２１と、これに一体的に連続する雌ネジ部材を受ける部分（以下、「雌ネジ受け部分」という。）２２２とからなっている。周辺領域２２１の複数箇所にボルト孔２２１ａが形成されている。
【００４８】
雌ネジ受け部分２２２は、凸曲面の外表面２２２ａを有するとともにこれに対応する凹曲面の内表面２２２ｂを有しており、中央部に、図４に示すように、略十字形の開口２２２ｃを有している。前記の連結部材２３は雌ネジ部材２１の頂部に該部材と一体的に連設されており、雌ネジ部材２１に螺合される後述するボルト６２が貫通可能の孔２３１を有し、雌ネジ台座２２の前記開口２２２ｃを貫通して雌ネジ受け部分２２２の内側へ突出している。
【００４９】
連結部材２３の該突出部分２３２には雌ネジ受け部分の内表面２２２ｂと略同様に湾曲形成されたストッパリング２３０が嵌められており、該突出部分２３２はかしめ処理にて該リング２３０に係合されている。かくして、雌ネジ部材２１は雌ネジ台座２２に対し外れないように回転可能に連結されている。なお、雌ネジ部材２１と雌ネジ台座２２との間にスラストベアリングを介在させてもよい。
【００５０】
雌ネジ受け部分２２２における前記の開口２２２ｃは、雌ネジ部材２１が雌ネジ受け部分２２２の凸曲面の外表面２２２ａに沿って動くとともに連結部材２３の前記突出部分２３２がストッパリング２３０と共に内表面２２２ｂに沿って動くことを許す形状、大きさに形成された開口である。
【００５１】
この雌ネジ具２も、支持対象物品Ｗの支持すべき部位に取り付けて用いる。すなわち、雌ネジ台座２２のボルト孔２２１ａを利用して該雌ネジ台座２２を物品Ｗの所定部位にボルトＢ２で固定することで全体を物品に取り付ける。
このように雌ネジ具２を物品に取り付け、その雌ネジ部材２１に次に説明する物品支持脚装置６のボルト６２を螺合させる一方、ボルト台座６１を物品設置場所Ｆに設置する。
【００５２】
本例での物品支持脚装置６は、図７に示すものと同タイプのもので、ボルト台座６１と、これに立設されたボルト６２とを有している。ボルト台座６１は物品設置場所Ｆに設置される台座本体６１１、これに支持された頭截球形状中空部を有する受け座６１２及び該受け座に摺動回転可能に嵌め込まれた球形状部材６１３とからなっている。
【００５３】
球形状部材６１３にはボルト６２の雄ネジの有効径に略等しい内径の穴６１３１が形成されており、この穴に、ボルト６２の下端部６２１がその雄ネジを圧潰しつつ圧入され、かくしてボルト６２はボルト台座６１に立設されている。
【００５４】
なお、ボルト支持部の穴６１３１を雌ネジ穴とし、ボルト下端部６２１を該雌ネジの有効径に略等しい外径のネジ無し円柱部に形成し、該円柱部を雌ネジを圧潰しつつ雌ネジ穴に圧入するようにしてもよいし、ボルト支持部の穴６１３１を雌ネジ穴とし、これにボルト下端部の雄ネジを強固に螺着させてもよい。
【００５５】
さて、前記のように雌ネジ具２の雌ネジ部材２１に物品支持脚装置６のボルト６２を螺合させる一方、ボルト台座６１を物品設置場所Ｆに設置するとき、ボルト台座６１を設置する場所Ｆが若干傾斜しているとか、図３に例示するように、ボルト台座６１の設置場所に制約がある等により物品Ｗに取り付けた雌ネジ具２の真下にボルト台座６１を設置し難い等のために物品支持脚装置６のボルト回転中心軸線が傾くような場合には、雌ネジ具２において雌ネジ部材２１を雌ネジ台座２２の雌ネジ受け部分２２２に沿って動かし、位置及び角度調節することでボルト回転中心軸線と雌ネジ部材２１の回転中心軸線とを一致させてボルト６２を雌ネジ部材２１に螺合させることができる。そして、物品重量の少なくとも一部が雌ネジ具２の雌ネジ台座２２を介して、ボルト６２に支持された状態の雌ネジ部材２１に加わるように、該物品支持脚装置６を物品Ｗと設置場所Ｆとの間にある程度しっかりと支えるように設置する。
【００５６】
このように物品支持脚装置６を設置し、次いで、必要に応じ、雌ネジ具２の雌ネジ部材２１をレンチ等適当な回し手段で回し、定位置のボルト６２に対し相対的に上下位置調整することで、雌ネジ具２を取り付けた物品Ｗの部分を所望高さに調節し、物品支持脚装置６に支持させることができる。
【００５７】
なお、雌ネジ具２の雌ネジ部材２１を回し操作するとき、ボルト６２が共回りするようなときは、適当な手段でボルト６２を回り止めしつつ雌ネジ部材２１を回し操作すればよい。また、雌ネジ部材２１はこれを回し易いように断面輪郭形状を多角形（例えば断面６角形）等に形成しておくことが望ましい。必要に応じ、図５〜図７に示すようなロックナットＮを採用してもよい。
【００５８】
以上説明したいずれの雌ネジ具１、１’、２も、物品の種類、物品の設置場所等によって物品支持脚装置における必要とされるボルト部分の長さが異なってくることがあっても、ボルト径が同じであれば対応でき、しかも、該ボルトにレンチ係合部のようなボルト回し用部分が設けられていない場合でも、かかる物品支持脚装置による物品の高さ調節を伴う支持を可能とし、また、これらによりひいては、物品支持脚装置の低廉化にも寄与できる。
【００５９】
また、いずれの雌ネジ具１、１’、２についても、雌ネジ部材を回し操作することで物品支持脚装置による物品の高さ調節が可能であるから、たとえボルト上にボルト回し用部分が形成されているような場合でも、該部分の回し操作が困難であるようなときには、該雌ネジ具の雌ネジ部材を回し操作して物品支持脚装置による物品の高さ調節を行える。
【００６０】
【発明の効果】
以上説明したように本発明によると、ボルトと該ボルトを立設したボルト台座とを有し、該ボルト台座を支持対象物品の設置場所に設置する一方、該ボルトを該物品に設けた雌ネジ部に螺合させることで該物品の該雌ネジ部を設けた部分を所望高さに支持する物品支持脚装置の該ボルトを支持対象物品に螺合取付けするための雌ネジ具であって、ボルト長さの点で異なる種々の物品支持脚装置に対応でき、しかも、該ボルトにレンチ係合部のようなボルト回し用部分が設けられていない場合でも、かかる物品支持脚装置による物品の高さ調節を伴う支持を可能とし、また、これらによりひいては、物品支持脚装置の低廉化にも寄与できる雌ネジ具を提供することができる。
【図面の簡単な説明】
【図１】本発明の１実施形態の雌ネジ具及び物品支持脚装置の１例を採用した物品支持状態を示す図である。
【図２】本発明の他の実施形態に係る雌ネジ具を、一部断面で示す図である。
【図３】本発明のさらに他の実施形態の雌ネジ具及び物品支持脚装置の１例を採用した物品支持状態を示す図である。
【図４】図３に示す雌ネジ具の雌ネジ台座の平面図である。
【図５】物品支持脚装置の１例を示す図である。
【図６】物品支持脚装置の他の例を示す図である。
【図７】物品支持脚装置のさらに他の例を示す図である。
【符号の説明】
１  １’  雌ネジ具
１１  雌ネジ部材
１２  スラストベアリング
１３  雌ネジ台座
１３１  ボルト孔
１３２  貫通孔
１４  連結部材
１４１  貫通孔
１４２  連結部材の突出部分
１５  短筒状部材
１５１  フランジ部
１６  リング状受け座
Ｂ１  ボルト
５    物品支持脚装置
５１  ボルト台座
５１１  台座本体
５１２  ボルト支持部
５１２１  ボルト支持部の突出部分
５１２２  ボルト圧入用穴
５２  ボルト
５２１  ボルト下端部
Ｆ  物品設置場所
２  雌ネジ具
２１  雌ネジ部材
２２  雌ネジ台座
２２１  雌ネジ台座の周辺領域
２２１ａ  ボルト孔
２２２  雌ネジ受け部分
２２２ａ  凸曲面の外表面
２２２ｂ  凹曲面の内表面
２２２ｃ  開口
２３  連結部材
２３１  貫通孔
２３２  突出部分
２３０  ストッパリング
６  物品支持脚装置
６１  ボルト台座
６１１  台座本体
６１２  受け座
６１３  球形状部材
６１３１  ボルト圧入用穴
６２  ボルト
Ｂ２  ボルト
７、８、９  物品支持脚装置
７１、８１、９１  ボルト台座
７２、８２、９２  ボルト
７１１、８１１、９１１  台座本体
７１２  ボルト支持部
８１２  スラストベアリング
８２１  レンチ係合部
８２２  弾性留め輪
９１２  受け座
９１３  球形状部材
Ｗ  物品
７３、８３、９３  雌ネジ部
Ｎ  ロックナット
【図１】
2005016601.tif 000003
【図２】
2005016601.tif 000004
【図３】
2005016601.tif 000005
【図４】
2005016601.tif 000006
【図５】
2005016601.tif 000007
【図６】
2005016601.tif 000008
【図７】
2005016601.tif 000009